(57)【要約】      （修正有）【課題】各構成要素の間の離脱遊動性を防止しながら組立性と結合性を増大させ、凹凸を有する付着面にも用いることができ、また長時間用いることができる真空吸着ユニットを提供する。【解決手段】回転可能な吸着調節蓋１０と、吸着板３０と、高さ調節体２０を有する真空吸着ユニット１００において、結合が容易になるガイド溝部１１０、挿入溝部、段差部３２０、結合溝部３１０、傾斜ガイド部２１０、吸着調節片１２０、結合突部を含んで形成し、吸着板３０の底面には一体型に軟質の粘着部材４０をさらに含んでなる。【選択図】図２
2017190840.tif 000002
【特許請求の範囲】
【請求項１】
回転可能な吸着調節蓋と、前記吸着調節蓋に結合されて、付着面に吸着される吸着板と、前記吸着調節蓋と吸着板との間に設置されて、前記吸着調節蓋の回転により前記吸着板と付着面との間に真空吸着領域を形成する高さ調節体とを有する真空吸着ユニットにおいて、
前記吸着調節蓋は、上板底面に吸着調節片が間隔を隔てて仕切り形態に形成されたガイド溝部と、前記ガイド溝部の外側に形成された挿入溝部とを含み、
前記吸着板は、上面に前記吸着調節蓋の側壁と高さ調節体の側板が定着される段差部と、前記段差部の内側に形成された結合溝部とを含み、
前記高さ調節体は、内板と前記内板を囲んで形成された側板とで構成されるが、前記挿入溝部に沿って側板の上部が移動可能に挿入され、前記内板の上面には前記ガイド溝部に挿入されて前記吸着調節蓋の回転により前記吸着調節片が上部傾斜面に沿って移動される傾斜ガイド部が形成され、前記内板の底面には前記結合溝部に沿って移動可能に挿入される結合突部を含んで構成され、
前記吸着板の底面には一体型に軟質の粘着部材をさらに含んでなることを特徴とする堅固性及び付着力が向上された真空吸着ユニット。
【請求項２】
前記吸着板は、底面中心部に突出して形成された嵌込突部をさらに形成し、
前記粘着部材は、前記吸着板の底面を含むことができる大きさの板状で、前記嵌込突部が貫通されて嵌め込まれることができる大きさと形状の嵌込孔が形成されたことを特徴とする請求項１に記載の堅固性と付着力が向上された真空吸着ユニット。
【請求項３】
前記高さ調節体は、内板の底面に前記結合突部の外側に深さを有する外側溝部をさらに形成し、
前記吸着板は、上面に前記外側溝部に嵌められることができる大きさと形状の第１突出面部をさらに形成したことを特徴とする請求項１に記載の堅固性と付着力が向上された真空吸着ユニット。
【請求項４】
前記高さ調節体は、前記結合突部の内側に定着段差部をさらに形成し、
前記吸着板は、前記吸着調節蓋の回転により真空吸着領域が形成される時前記定着段差部に接面して位置される第２突出面部と、前記第２突出面部の内側端部に沿って突出された内側突部をさらに形成したことを特徴とする請求項３に記載の堅固性と付着力が向上された真空吸着ユニット。
【請求項５】
前記高さ調節体の定着段差部は、前記外側溝部の深み面と同一線上の位置に形成されることを特徴とする請求項４に記載の堅固性と付着力が向上された真空吸着ユニット。
【請求項６】
前記吸着調節蓋は、
物品を吊り下げたりかけておくことができるフック部材の一側が挿入される挿入孔と、前記挿入孔が形成された上板底面に放射状に突出形成されて折曲されたフックを有する複数の回転突部と、
前記回転突部の外側で下部に突出形成された複数の固定片を含んで構成されたことを特徴とする請求項１に記載の堅固性と付着力が向上された真空吸着ユニット。
【請求項７】
前記吸着調節蓋は、前記上板の底面に、前記挿入孔から側壁方向に長さを有して突出形成されて放射状に位置された複数の第１補強リブと、前記第１補強リブと交差する部位を有し、前記挿入孔の外側に円形状に突出形成された一つ以上の第２補強リブとをさらに含んで構成されたことを特徴とする請求項６に記載の堅固性と付着力が向上された真空吸着ユニット。
【請求項８】
前記高さ調節体は、前記内板に前記吸着調節蓋を回転させた後位置固定されることができるように各固定片がスライディングされる複数の弾性係止片が形成され、
前記傾斜ガイド部は端部側に回転された前記吸着調節蓋の吸着調節片の端部が係止されて位置固定されることができるように段差溝部とストッパをさらに含んで形成されたことを特徴とする請求項６に記載の堅固性と付着力が向上された真空吸着ユニット。
【請求項９】
前記弾性係止片は、
前記高さ調節体と一体型に連結された一つまたは複数の結合台と、
自由端状態である一面に前記固定片が係止されて固定されるように形成された折曲部と、
前記結合台と折曲部との間に前記固定片が接触された状態でスライディングされることができるように角度を持って屈曲形成された屈曲面とを含んで構成されたことを特徴とする請求項８に記載の堅固性と付着力が向上された真空吸着ユニット。
【請求項１０】
前記粘着部材は、両面に粘着性物質が塗布されたことを特徴とする請求項１に記載の堅固性と付着力が向上された真空吸着ユニット。
【請求項１１】
上部側に回転可能に設置されて、内側上面に形成された複数の固定片と複数の係止突部が形成された吸着調節蓋と；前記吸着調節蓋の下部に設置されて上面中央部に中心軸が形成された吸着板と；前記吸着調節蓋と吸着板との間に設置されて、吸着調節蓋が所定範囲内で回転及び停止されるように傾斜面と段差溝部とストッパとで構成された複数の傾斜ガイド部及び蓋を回転／固定するように各固定片がスライディングされる所定弾性を有する複数の弾性係止片が備えられた内板と、前記内板の外周面に形成された側板が形成された高さ調節体とが備えられた真空吸着ユニットにおいて、
前記吸着調節蓋の内側上面には各傾斜ガイド部が挿入される複数のガイド溝部が形成され、前記各ガイド溝部の間には各傾斜ガイド部の上面に沿ってスライディングされる吸着調節片がそれぞれ形成され、
前記吸着板の上面には前記吸着板の円周方向に結合溝部が形成され、
前記高さ調節体の内板には中心軸が挿入される軸孔を有する支持部が形成され、前記内板の底面には結合溝部内に遊動可能に挿入される結合突部が突出形成され、
前記吸着板の底面には前記吸着板を付着面に付着するように嵌込孔を有する軟質の粘着部材が付着されることを特徴とする堅固性と付着力が向上された真空吸着ユニット。
【請求項１２】
前記高さ調節体の側板上部が挿入結合されるように前記吸着調節蓋の内側上面には挿入溝部が形成され、
前記高さ調節体の側板下部の内面に位置されるように前記吸着板の上面外側部には段差部が形成されることを特徴とする請求項１１に記載の堅固性と付着力が向上された真空吸着ユニット。
【請求項１３】
前記吸着板の結合溝部と段差部との間に形成された第１突出面部は前記高さ調節体の側板内面と結合突部との間に形成された外側溝部内に挿入され、前記吸着板の結合溝部と内側突部との間に形成された第２突出面部は前記高さ調節体の結合突部の内側に形成された定着段差部に定着されることを特徴とする請求項１１または１２に記載の堅固性と付着力が向上された真空吸着ユニット。
【請求項１４】
前記吸着板の底面中央部には粘着部材の嵌込孔に嵌合されて前記嵌込孔とともに付着面に付着される吸着板と、付着面の間の空間に真空吸着領域を形成する嵌込突部とが形成されることを特徴とする請求項１１に記載の堅固性と付着力が向上された真空吸着ユニット。
【発明の詳細な説明】
【技術分野】
【０００１】
本発明は真空吸着ユニットに関し、さらに詳しくは、各構成要素の間の離脱遊動性を防止しながら組立性と結合性を増大させて長時間用いることができ、真空吸着方式と粘着方式を一緒に使って硝子やタイルなどの滑っこい付着面だけでなく凹凸を有する付着面にも用いることができる堅固性と付着力が向上された真空吸着ユニットに関する。
【背景技術】
【０００２】
一般に、真空吸着ユニットは装置内部で発生する真空を利用して他の物体に付着することができる器具を意味するもので、釘または接着剤などを利用しないである物を硝子やタイルなどに付着する用途で主に使われる。
【０００３】
生活空間上でこのような真空吸着ユニットはタオルや手拭きタオル及びトイレットペーパーなどの多様な形態の物を吊り下げたりかけておくために用いられ、一般的にフック部材と吸着板が備えられる。
【０００４】
この時、上記フック部材はタオルや手拭タオル及びトイレットペーパーなどをかけることができ、上記吸着板は硝子やタイルなどの表面（付着面）に接触させた状態で真空吸着ユニットを付着面に押して上記付着面と吸着板との間の空間の空気を吸着板の外部に抜き出して、上記付着面と吸着板との間を真空状態に形成するようにして、上記付着面に吸着板を真空吸着することにより真空吸着ユニットを固定設置する。
【０００５】
しかし、このような従来の真空吸着ユニットは、吸着板と付着面との間を真空状態に密閉させにくくて吸着力も弱かった。
【０００６】
従って、付着面から吸着板が簡単に落ちるなど付着面に長時間固定設置することが容易でなく、繰り返し的に付着面に付着しなければならない場合、使うのにたくさんの不便な点があった。
【０００７】
このような問題点を解決するための従来技術による真空吸着ユニットとして、韓国登録実用新案第０４２０９６４号によれば、蓋、高さ調節部材、吸着板及びスプリングで構成され、蓋を回転させればスプリングが巻かれ、同時に上記蓋内に形成された高さ調節突起が高さ調節部材の高さ調節傾斜面に沿って移動すれば、上記蓋は傾斜面の段差だけ上げられ、この時、高さ調節部材を高さ調節突起固定溝に挿入すれば、スプリングは巻かれた状態を保持し続ける。
【０００８】
それにより、吸着板の中央部は持ち上げられ、外周面は付着面に密着されることにより付着面と吸着板との間は真空状態になって吸着板は付着面に付着される。
【０００９】
しかしながら、このような従来技術による真空吸着ユニットは、スプリングを組み立て及び結合する作業が非常に不便で、作業效率性が低下されるだけでなく、スプリングの費用が相対的に高くて製作費用が上昇するという問題点があった。
【００１０】
また、スプリングは長期間使用すれば弾性力の低下により真空吸着ユニットの性能が低下されるだけでなく、弾性力が低下されたスプリングを取り替えなければならないなど取り替え作業が非常に煩雑であり、スプリングの取り替えによる取り替え費用が上昇するという問題点もあった。
【００１１】
また、吸着板が付着面に付着された状態で吸着ユニットに外部衝撃が加えられると、高さ調節突起が抜けながらスプリングが原位置に復帰しようとする復元力により真空吸着ユニットの蓋が原位置に回転される場合が発生されるため、付着面と吸着板との間に形成された真空状態が解除されることにより、吸着板が付着面から分離されるなど非常に簡単に分離されるという問題点もあった。
【００１２】
このような問題点を解決するためのまた他の一つの従来技術として、韓国公開特許公報第１０−２０１１−００３５２０５号を挙げることができる。
【００１３】
しかし、このような従来技術による真空吸着ユニットは、従来の問題点をある程度解決したが、高さ調節部材と吸着板が複数の結合孔と結合突起によって嵌められた状態で結合され、吸着板と蓋は回転突部のみによって結合されることにより使用中や組み立て及び結合時に各構成要素が離脱されて脱去される現象が発生されるという問題点があった。
【００１４】
それにより各構成の間の組立性が落ちるだけでなく上記各構成の間に振動や遊動が発生されるなど堅固に結合されることができないことはもちろんこれによって円滑な作動が成り立たない問題点があった。
【００１５】
また、上記真空吸着ユニットは付着面が滑っこい面の場合には付着面と真空吸着ユニットの吸着板の間を真空状態で維持して付着することができるが、付着面の表面が経るとかデコボコした凹凸が形成された場合には付着面と吸着板の間の空間を真空状態で形成することができなさによって真空吸着ユニットを付着面に付着することができない問題点もあった。
【００１６】
それによって、各構成の間に離脱遊動性を防止しながらも組立性と結合性を増大させ、硝子やタイルなどの滑っこい付着面だけでなく凹凸を有する付着面にも用いることができる真空吸着ユニットに対する要求が増大されている。
【先行技術文献】
【特許文献】
【００１７】
【特許文献１】大韓民国登録実用新案第２０−０４２０９６４号（２００６．０６．３０．登録）
【特許文献２】大韓民国公開特許第１０−２０１１−００３５２０５号（２０１１．０４．０６．公開）
【発明の概要】
【発明が解決しようとする課題】
【００１８】
本発明は前述した問題点を解決するために案出されたもので、真空吸着ユニットを構成する吸着調節蓋、高さ調節体及び吸着板に結合構造を追加構成して、各構成が容易に結合されながらも離脱されることなく長時間用いることができるように構成された堅固性と付着力が向上された真空吸着ユニットを提供することをその目的とする。
【００１９】
また、吸着調節蓋と高さ調節体及び吸着板が成す真空吸着方式と吸着板の底面に付加された粘着部材による粘着方式を一緒に用いることにより、硝子やタイルなどの滑っこい付着面だけでなく、凹凸を有する付着面にも容易に付着可能で、長時間用いることができる堅固性と付着力が向上された真空吸着ユニットを提供することをその目的とする。
【課題を解決するための手段】
【００２０】
上記のような目的を達するに、本発明による堅固性と付着力が向上された真空吸着ユニットは、回転可能な吸着調節蓋と、吸着調節蓋に結合されて付着面に吸着される吸着板と、吸着調節蓋と吸着板との間に設置されて吸着調節蓋の回転により吸着板と付着面との間に真空吸着領域を形成する高さ調節体を有する。
【００２１】
この時、上記吸着調節蓋は、上板底面に吸着調節片が間隔を隔てて仕切り形態で形成されたガイド溝部と、ガイド溝部の外側に形成された挿入溝部とを含む。
【００２２】
そして、上記吸着板は、上面に吸着調節蓋の側壁と高さ調節体の側板が定着される段差部と、段差部の内側に形成された結合溝部とを含む。
【００２３】
一方、上記高さ調節体は、内板と上記内板を囲んで形成された側板とで構成されるが、挿入溝部に沿って側板の上部が移動可能に挿入され、内板の上面にはガイド溝部に挿入されて吸着調節蓋の回転によって吸着調節片が上部傾斜面に沿って移動される傾斜ガイド部が形成され、内板の底面には上記結合溝部に沿って移動可能に挿入される結合突部を含んで構成される。
【００２４】
また、上記吸着板の底面には一体型に軟質の粘着部材をさらに含んでなる。
【００２５】
言い換えれば、上部側に回転可能に設置されて内側上面に形成された複数の固定片と複数の係止突部が形成された吸着調節蓋；上記吸着調節蓋の下部に設置されて上面中央部に中心軸が形成された吸着板；上記吸着調節蓋と吸着板との間に設置されて、吸着調節蓋が所定範囲内で回転及び停止されるように傾斜面、段差溝部及びストッパで構成された複数の傾斜ガイド部及び蓋を回転／固定するように各固定片がスライディングされる所定弾性を有する複数の弾性係止片が備えられた内板と、上記内板の外周面に形成された側板が形成された高さ調節体とが備えられて真空吸着ユニットを構成する。
【００２６】
この時、上記吸着調節蓋の内側上面には各傾斜ガイド部が挿入される複数のガイド溝部が形成され、上記各ガイド溝部の間には各傾斜ガイド部の上面に沿ってスライディングされる吸着調節片がそれぞれ形成される。
【００２７】
そして、上記吸着板の上面には上記吸着板の円周方向に結合溝部が形成される。
【００２８】
また、上記高さ調節体の内板には中心軸が挿入される軸孔を有する支持部が形成され、上記内板の底面には結合溝部内に遊動可能に挿入される結合突部が突出して形成される。
【００２９】
そして、上記吸着板の底面には上記吸着板を付着面に付着するように嵌込孔を有する軟質の粘着部材が付着されることを特徴とする。
【００３０】
一方、上記高さ調節体の側板上部が挿入結合されるように上記吸着調節蓋の内側上面には挿入溝部が形成され、上記高さ調節体の側板の下部内面に位置されるように上記吸着板の上面外側部には段差部が形成される。
【００３１】
また、上記吸着板の結合溝部と段差部との間に形成された第１突出面部は上記高さ調節体の側板内面と結合突部との間に形成された外側溝部内に挿入され、上記吸着板の結合溝部と内側突部との間に形成された第２突出面部は上記高さ調節体の結合突部内側に形成された定着段差部に定着されることを特徴とする。
【００３２】
また、吸着板の底面中央部には粘着部材の嵌込孔に嵌合されて上記嵌込孔と一緒に付着面に付着される吸着板と付着面ちの間の空間に真空吸着領域を形成するようにする嵌込突部が形成されることを特徴とする。
【発明の効果】
【００３３】
このように、本発明による堅固性及び付着力が向上された真空吸着ユニットは、吸着調節蓋と高さ調節体そして吸着板が堅固でありながらも容易に結合されることにより、組立性が向上されるだけでなく、各構成の間の作動時に離脱されないで、円滑に作動することによって真空吸着ユニットの性能を向上させる效果を奏する。
【００３４】
また、吸着板の底面に粘着部材を結合することにより、吸着板による真空吸着方式と粘着部材による粘着方式が一緒に行われて表面が滑っこい付着面はもちろんデコボコした凹凸形状の付着面にも容易に付着することができる效果を奏する。
【００３５】
同時に、粘着部材と付着面との間に真空吸着領域を長い間保持することができて、真空吸着ユニットを長期間用いても付着面から離脱されなくて製品の寿命と便利性を増大させる效果を奏する。
【図面の簡単な説明】
【００３６】
【図１】本発明による堅固性と付着力が向上された真空吸着ユニットを示す斜視図である。
【図２】本発明による堅固性と付着力が向上された真空吸着ユニットの分離された状態を示す図面である。
【図３】本発明による堅固性と付着力が向上された真空吸着ユニットの吸着調節蓋の下部を示す図面である。
【図４】本発明による堅固性と付着力が向上された真空吸着ユニットの高さ調節体の下部を示す図面である。
【図５】本発明による堅固性と付着力が向上された真空吸着ユニットの吸着板下部を示す図面である。
【図６】本発明による堅固性と付着力が向上された真空吸着ユニットの使用状態を示す概略的な断面図である。
【図７】本発明による堅固性と付着力が向上された真空吸着ユニットの使用状態を示す概略的な平面図である。
【図８】本発明による堅固性と付着力が向上された真空吸着ユニットの使用状態を示す概略的な平面図である。
【図９】本発明による堅固性と付着力が向上された真空吸着ユニットの使用状態を示す概略的な断面図である。
【発明を実施するための形態】
【００３７】
以下では添付した図面を参照して本発明による堅固性と付着力が向上された真空吸着ユニットの好ましい実施例について詳細に説明する。
【００３８】
まず、本発明を説明する際に、上部は真空吸着ユニット蓋の上側部分またはその方向を示すものとし、下部は吸着板の下側部分またはその方向を示すものとして説明する。
【００３９】
また、内側は真空吸着ユニットの中心に近い部分またはその方向を示すものとし、外側は真空吸着ユニットの中心から遠くなる部分またはその方向を示すものとする。
【００４０】
図１は本発明による堅固性と付着力が向上された真空吸着ユニットを示す斜視図であり、図２は本発明による堅固性と付着力が向上された真空吸着ユニットの分離された状態を示す図面である。
【００４１】
また、図３は本発明による堅固性と付着力が向上された真空吸着ユニットの吸着調節蓋下部を示す図面であり、図４は本発明による堅固性と付着力が向上された真空吸着ユニットの高さ調節体下部を示す図面であり、図５は本発明による堅固性と付着力が向上された真空吸着ユニットの吸着板下部を示す図面である。
【００４２】
図示したように、本発明による堅固性と付着力が向上された真空吸着ユニット１００は、タオルや手拭きタオル、トイレットペーパーなどの多様な物を吊り下げたりかけておくことができるように、付着面（図９、Ａ）に真空吸着されながら着脱可能に構成される。このために、大きく吸着調節蓋１０と吸着板３０そして高さ調節体２０からなり、上記吸着板３０の底面には付着面との付着力を高めることができるように軟質の粘着部材４０をさらに含んで構成される。
【００４３】
具体的に、上記吸着調節蓋１０は上記真空吸着ユニット１００の上部側に位置され、使用者が把持可能な大きさと形状で、回転可能に構成される。
【００４４】
また、上記吸着調節蓋１０の中央部には多様な物を吊り下げたりかけることができるようにフック部材（図示しない）の一側が挿入される挿入孔１１が貫通されるように形成される。
【００４５】
そして、上記高さ調節体２０は上記吸着調節蓋１０の下部内側に設置される。上記吸着調節蓋１０が使用者によって真空吸着力が発生される使用方向に容易に回転移動可能に複数の弾性係止片２３を形成する。
【００４６】
また、上記高さ調節体２０は、上面が高さ段差を有する傾斜面で形成された傾斜ガイド部２１０を備え、上記吸着調節蓋１０が傾斜ガイド部に沿って回転移動することができるようにし、この時、上記高さ調節体２０の端部は吸着板３０の外周面を押して上記吸着調節蓋１０は回転によって上記吸着板３０の中心部を引き上げて上記吸着板３０の底面側と付着面（図９、Ａ）との間に真空吸着領域（図９、Ｂ）が形成されるようにする。
【００４７】
このように、上記高さ調節体２０は必要によって上記吸着板３０と付着面Ａとの間の空間に真空吸着領域を形成するか真空を解除して上記吸着板３０が付着面に着脱可能にする。これは上記吸着調節蓋１０の回転によって動作制御される。
【００４８】
一方、上記吸着板３０は上記吸着調節蓋１０に結合されて付着面に真空吸着され、上記高さ調節体２０の下部に位置される。
【００４９】
また、上記吸着板３０は、上述したように、底面に一体型に形成され、上記付着面Ａと接面して直接付着される軟質の粘着部材４０をさらに含んで構成される。
【００５０】
一方、本発明による堅固性と付着力が向上された真空吸着ユニット１００を構成する吸着調節蓋１０と高さ調節体２０そして吸着板３０は、必要によって各構成要素の内側方向と外側方向に突出された部分を形成し、上記突出された部分に対応する各構成要素の位置には突出された部分が挿入され、これを支持する溝部を形成して構成される。
【００５１】
このように構成された本発明による堅固性と付着力が向上された真空吸着ユニット１００は、上記吸着板３０を利用した真空吸着方式と上記粘着部材４０を利用した粘着方式を一緒に利用して硝子やタイルなどのように表面が滑っこい付着面はもちろん表面が粗くて、デコボコした凹凸が形成された付着面にも容易に付着されて用いることができ、長時間使用しても付着面から離脱されない。
【００５２】
また、各構成要素の突出された部分とこれらが挿入されて支持される溝部の結合構造により、堅固でありながらも組立性が向上されるるだけでなく、各構成の間の作動が遊動されることなく、円滑に作動して真空吸着ユニット１００の性能と效率を大きく増大させる。
【００５３】
より詳細に、再び図１〜図６を参照して本発明による堅固性と付着力が向上された真空吸着ユニット１００を説明すれば次の通りである。
【００５４】
まず、図２及び図３を参照すれば、上記吸着調節蓋１０は、円形の上板１０ａと上記上板１０ａの外周面を囲んで下部方向に延長されて突出された側壁１０ｂとで構成される。上記上板１０ａの中央部には物を吊り下げたりかけておくことができるフック部材（図示しない）の一側が挿入される挿入孔１１が貫通して形成され、上記挿入孔１１が形成された上板１０ａの底面には上記吸着調節蓋１０と吸着板３０とを互いに連結する複数の回転突部１２が形成される。
【００５５】
好ましく、上記回転突部１２は放射状に突出して形成され、端部は折曲されたフックを有する。
【００５６】
そして、上記回転突部１２は後述される吸着板３０の中心軸３１に形成された係止突部３３にフック形状が係止されて固定結合され、上記吸着調節蓋１０の回転動作時に上記吸着板３０を引き上げて吸着板３０と付着面との間に真空吸着領域（図９、Ｂ）が形成されることができる。
【００５７】
また、上記回転突部１２の外側に下部方向に突出された形態を有する複数の固定片１４がさらに形成される。
【００５８】
この時、上記固定片１４は吸着調節蓋１０の回転動作により後述される高さ調節体２０の弾性係止片２３についてスライディングされることはもちろん、上記弾性係止片２３の端部に係止されて上記吸着調節蓋１０の原位置復帰、即ち逆回転されることを防止する役割を果たす。
【００５９】
そして、上記固定片１４は上記弾性係止片２３の数と同じ数で形成されることが好ましく、図面に一実施例としてバー形態に示したが、上記弾性係止片２３との接触面積を広げながら柔らかくて円滑な摺動のために「Ｖ」字状で折曲形成されたりラウンド状を有するように形成されることができる。
【００６０】
一方、上記吸着調節蓋１０の上板１０ａの底面には製品の寿命を延長し、真空吸着領域の形成時に安定的に上記吸着調節蓋１０と吸着板３０とが結合を保持することができるように支持力を付加するために、必要によって複数の補強リブ１５をさらに含んで構成される。
【００６１】
好ましく、上記補強リブ１５０は、上記挿入孔１１から側壁１０ｂの方向に長さを有し、放射状に突出形成されて位置する第１補強リブ１５ａと、上記第１補強リブ１５ａと交差する部位を有し、上記挿入孔１１の外側に円形に突出形成された一つ以上の第２補強リブ１５ｂとで構成される。
【００６２】
上記補強リブ１５はその形状と位置が決まったものではなく、真空吸着ユニット１００の真空吸着による付着時に長い時間その力を保持して、吸着調節蓋１０の上板１０ａがこれを耐えることができる構造と形状に変更されることができることは勿論である。
【００６３】
一方、上記吸着調節蓋１０は上板１０ａの底面に後述される高さ調節体２０の傾斜ガイド部２１０が挿入されて位置されることができるように深みを有するガイド溝部１１０をさらに形成し、上記ガイド溝部１１０の外側に後述される高さ調節体２０の側板上部２２ａが挿入されて位置されることができるようにガイド溝部１１０と同一深みを有する挿入溝部１３０をさらに含んで形成される。
【００６４】
この時、上記ガイド溝部１１０には仕切り形態で突出形成された吸着調節片１２０が間隔を隔てて形成される。好ましく、上記吸着調節片１２０は上記傾斜ガイド部２１０に対応する数を有し、上記吸着調節蓋１０の回転動作によって上記ガイド溝部１１０内を移動する傾斜ガイド部２１０の上面と接触された状態で上記傾斜ガイド部２１０の上面に付いてスライディングされる。
【００６５】
このような吸着調節片１２０による吸着調節蓋１０と高さ調節体２０の動作によって上記吸着調節蓋１０は回転突部１２に固定結合された吸着板３０を引き寄せて真空吸着領域を形成し、上記高さ調節体２０は後述される側板２２の下部が吸着板３０の段差部３２０を押して上記真空吸着領域が容易に形成されることができる。
【００６６】
一方、再び図２及び図４を参照して、上記高さ調節体２０を説明すれば次の通りである。
【００６７】
上記高さ調節体２０は、図示したように、吸着調節蓋１０の上板１０ａと側壁１０ｂが形成する内部空間上に含まれることができる大きさを有し、上記吸着調節蓋１０の上板１０ａと同じ形状を有する内板２１と、上記内板２１を囲んで上部と下部に突出されて直交されるように形成された側板２２とで構成される。
【００６８】
そして、上記高さ調節体２０の内板２１には、上述したように、上記吸着調節蓋１０の回転動作によって吸着調節蓋１０のガイド溝部１１０に挿入された状態で移動する傾斜ガイド部２１０が形成される。
【００６９】
この時、上記傾斜ガイド部２１０は上記吸着調節蓋１０の吸着調節片１２０の数と対応する数に形成され、それぞれの傾斜ガイド部２１０は上記吸着調節片１２０が接触及びスライディングされながら吸着調節蓋１０の回転方向によって高さ調節体２０が吸着板３０を付着面Ａ側に押したりまたは付着面Ａの反対側に押すように所定角度で傾いた上部傾斜面２１１と、上記傾斜面２１１の一端部側に形成されて、吸着調節蓋１０の回転を停止させるように吸着調節片１２０が係止されて位置固定される段差溝部２１２と、上記段差溝部２１２の一側に形成されて、上記吸着調節蓋１０が所定範囲内のみで回転されるように上記吸着調節片１２０が接触されて止ますストッパ２１３とで構成される。
【００７０】
このように構成された傾斜ガイド部２１０は吸着調節蓋１０の回転方向によって吸着調節片１２０が上部傾斜面２１１に沿って移動する。この時、上記吸着調節片１２０のストッパ２１３の方向に移動する時には角度を有し、段差を有する上部傾斜面２１１の構造により高さ調節体２０が吸着板３０を付着面Ａ側に押し、上記吸着調節蓋１０は回転突部１２に固定結合された吸着板３０の中心部を引き寄せて付着面Ａとの間に真空吸着領域Ｂを形成する。
【００７１】
一方、上記高さ調節体２０の内板２１には、上述したように、上記吸着調節蓋１０を回転可能にすることはもちろん、上記回転する吸着調節蓋１０が所定位置に置かれる場合位置固定されて原位置に回転されることを防止するために所定弾性力を有する複数の弾性係止片２３が形成される。
【００７２】
好ましく、上記弾性係止片２３は上記吸着調節蓋１０の固定片１４がスライディングされるが、このために上記高さ調節体２０と一体型に連結された一つまたは複数の結合台２３２と、自由端状態である一面に上記固定片１４が係止されて固定されるように形成された折曲部２３１と、上記結合台２３２と折曲部２３１との間に上記固定片１４が接触された状態でスライディングされることができるように角度を有し屈曲形成された屈曲面２３３とを含んで構成される。
【００７３】
このような構成によって、上記吸着調節蓋１０の真空吸着領域Ｂを形成する方向に回転時には上記固定片１４が上記折曲部２３１と結合台２３２との間の屈曲面２３３に接触された状態で弾性係止片２３を押しながらスライディングされ、吸着調節蓋１０の回転が完了された時には、上記固定片１４が屈曲面２３３を経て折曲部２３１に位置されながら弾性係止片２３は原位置に復帰される。
【００７４】
また、上記高さ調節体２０は、上記内板２１の中央部に上記高さ調節体２０が捻られたり撓う現象を防止するために、上記高さ調節体２０の強度を補強することはもちろん、内板２１を支持する支持部２２０が形成され、上記支持部２２０には上記吸着板３０の中心軸３１が挿入位置される軸孔２２１が形成される。
【００７５】
また、上記高さ調節体２０は堅固でありながらも組立性が向上されるだけでなく、各構成の間の作動が遊動されることなく円滑に作動することができるように、必要によって突出された部分と溝部を含んで形成される。上記内板２１の底面に後述される上記吸着板３０の結合溝部３１０に沿って移動可能に挿入される結合突部２３０を含んで構成される。
【００７６】
また、上記内板２１の底面に上記結合突部２３０の外側に後述される吸着板３０の第１突出面部３４０が嵌められることができるように深みを有する外側溝部２４０をさらに形成する。
【００７７】
また、上記吸着調節蓋１０の回転によって真空吸着領域Ａを形成する時、上記結合突部２３０の内側に後述される吸着板３０の第２突出面部３５０が接面して位置される定着段差部２５０をさらに形成する。
【００７８】
この時、上記高さ調節体２０の定着段差部２５０は、上記外側溝部２４０の深み面と同一線上の位置に形成されることが好ましい。
【００７９】
一方、再び図２及び図５を参照して、本発明による真空吸着ユニット１００に適用される上記吸着板３０を説明すれば次の通りである。
【００８０】
上記吸着板３０は吸着調節蓋１０の回転方向によって付着面Ａに真空吸着、即ち着脱されるが、上記吸着板３０の中央部上面にはフック部材（図示しない）の一側が挿入結合される結合孔３２を有する中心軸３１が形成され、上記中心軸３１の外周面には上記吸着調節蓋１０と吸着板３０が回転可能に結合されるように上記吸着調節蓋１０の各回転突部１４の端部側が係止されて固定される係止突部３３が形成される。
【００８１】
そして、上記吸着板３０の上面には上記吸着調節蓋１０の側壁１０ｂが定着される段差部３２０が形成され、上記段差部３２０の内側に上記高さ調節体２０の結合突部２３０がついて移動することができるように対応する位置に深さを有する結合溝部３１０が上記吸着板３０の円周方向に形成される。
【００８２】
一方、好ましく、図６を参照すれば、上記吸着板３０の上記段差部３２０は真空吸着ユニット１００に結合して使用する時、上記吸着調節蓋１０の側壁１０ｂが回転可能に定着されることはもちろん、上記高さ調節体２０の側板下部も定着されて結合されることができる間隔ｂを有するように形成される。
【００８３】
これによって、回転動作時に上記高さ調節体２０が回転によって安定的に上下方向に移動することができるように案内されて、吸着板３０の段差部３２０を押し出すことができる。
【００８４】
一方、再び図２及び図５を参照すれば、上記吸着板３０は、上面に上記高さ調節体２０の外側溝部２４０に嵌められることができる大きさと形状の第１突出面部３４０をさらに形成し、上記吸着調節蓋１０の回転によって真空吸着領域Ａが形成される時上記高さ調節体２０の定着段差部２５０に接面して位置される第２突出面部３５０をさらに形成する。
【００８５】
そして、上記第２突出面部３５０の内側端部に沿って突出されるように内側突部３３０をさらに形成する。
【００８６】
また、上記吸着板３０の底面には中心部に上記中心軸３１が貫通されて延長された形状に突出して形成された嵌込突部３０１をさらに形成する。上記嵌込突部３０１は後述される粘着部材４０の嵌込孔４０１に貫通して嵌め込まれて、上記粘着部材４０と吸着板３０の底面を一体化させる。
【００８７】
一方、本発明による堅固性及び付着力が向上された真空吸着ユニット１００は、真空吸着方式だけでなく粘着方式を一緒に利用して付着面Ａに対する付着力を増大させて表面が滑っこい付着面はもちろんデコボコした凹凸形状の付着面に手軽くて容易に付着することができるように、上記吸着板３０の底面に一体型に軟質の粘着部材４０をさらに含んでなる。
【００８８】
図２を参照すれば、上記粘着部材４０は上記吸着板３０の底面を含むことができる大きさを有する板状で、上記吸着板３０の底面中心部に突出して形成された嵌込突部３０１が貫通して嵌め込まれることができる大きさと形状の嵌込孔４０１を形成する。
【００８９】
好ましく、上記粘着部材４０は、上記吸着板３０の底面と粘着されることはもちろん凹凸が形成された付着面に粘着されるクッションを有する軟質の材質で、図６を参照すれば、吸着板３０の底面外径と同一または若干大きく形成して外部に突出された間隔部分ａを有するように形成することができる。
【００９０】
また、上記粘着部材４０の両面には粘着性物質を塗布して粘着性を高めることができ、必要によって粘着性物質が生成される材質、即ちポリウレタンのような材質を使うことができる。
【００９１】
そして、上記吸着板３０の嵌込突部３０１と上記粘着部材４０の嵌込孔４０１は同じ形状で形成することはもちろん、円形、卵円形及び多角形、不規則な形状など多様な形状で形成可能であることは勿論である。
【００９２】
上述したように、大きく吸着調節蓋１０、吸着板３０、高さ調節体２０、上記吸着板３０の底面に軟質の粘着部材４０をさらに含んで構成された本発明による真空吸着ユニット１００は、結合時に各構成要素に必要によって形成された突出された部分と凹まれた部分が対応するように位置されながら結合されることによって離脱されたり遊動されることなしに堅固でありながらも容易に結合及び組み立てられることができる。
【００９３】
また、上記吸着板３０の底面に粘着部材４０をさらに含んで結合することによって、吸着板３０による真空吸着方式と粘着部材４０による粘着方式が同時に行われて、表面が滑っこい付着面はもちろんデコボコした凹凸形状の付着面にも手軽くて容易に付着することができる。
【００９４】
また、吸着板３０及び粘着部材４０と付着面Ａとの間に真空吸着領域Ｂを長時間保持することができて、本発明による真空吸着ユニット１００を長期間使っても上記付着面Ａから離脱されなくて製品の寿命と便利性が増大される。
【００９５】
次に、図６〜図９は本発明による堅固性と付着力が向上された真空吸着ユニットの使用状態を示す概略的な断面図及び平面図である。
【００９６】
図２を一緒に参照して、本発明による堅固性と付着力が向上された真空吸着ユニット１００の使用状態を説明すれば次の通りである。
【００９７】
図示したように、本発明による真空吸着ユニット１００は、底面に粘着部材４０を一体型に形成した吸着板３０の中心軸３１が高さ調節体２０の軸孔２２１を貫通して吸着調節蓋１０の挿入孔１１を貫通したり同一面を有するように結合される。
【００９８】
この時、上記吸着調節蓋１０の回転突部１２は高さ調節体２０の軸孔２２１を貫通して上記吸着板３０の中心軸３１に形成された係止突部３３にフック形状の端部がかかるように固定される。
【００９９】
それにより、上記吸着調節蓋１０と吸着板３０は結合されるが、上記吸着調節蓋１０の側壁１０ｂの下端は上記吸着板３０の段差部３２０に定着される。
【０１００】
そして、上記高さ調節体２０は上記吸着調節蓋１０と吸着板３０との間に位置されるが、高さ調節体２０の上面に形成された傾斜ガイド部２１０は吸着調節蓋１０の上板１０ａの底面に形成されたガイド溝部１１０に挿入されて遊動可能にガイドされて位置され、上記高さ調節体２０の側板２２の上部は上記吸着調節蓋１０の挿入溝部１３０に遊動可能にガイドされて位置される。
【０１０１】
この時、上記ガイド溝部１１０に形成された吸着調節片１２０は上記傾斜ガイド部２１０の上部傾斜面２１１に沿って移動されることができるように位置される。
【０１０２】
また、吸着調節蓋１０の固定片１４は高さ調節体２０の弾性係止片２３の屈曲面２３３に沿って移動されることができるように位置される。
【０１０３】
一方、上記高さ調節体２０の側板２２の下部は上記吸着調節蓋１０が定着される吸着板３０の段差部３２０に一緒に定着される。
【０１０４】
そして、上記吸着板３０の第１突出面部３４０は上記高さ調節体２０の底面に形成された外側溝部２４０に挿入されるように位置され、上記吸着板３０の第２突出面部３５０は上記高さ調節体２０の定着段差部２５０に定着されることができるように位置される。
【０１０５】
好ましく、上記吸着板３０の段差部３２０は上記吸着調節蓋１０の側壁１０ｂの下端部と上記高さ調節体２０の側板２２の下端部の厚さを含むことができる大きさの間隔ｂを有する。
【０１０６】
そして、上記粘着部材４０は上記吸着板３０の底面を含むことができる大きさで、好ましくは、上記吸着板３０の底面より大きい大きさを有し、端部が間隔ａで突出されるように形成されることが好ましい。
【０１０７】
このように、吸着調節蓋１０、高さ調節体２０及び吸着板３０と粘着部材４０の構成要素が結合された真空吸着ユニット１００を使用者が使用する時、使おうとする付着面Ａに上記真空吸着ユニット１００を先に付着する。
【０１０８】
本発明による真空吸着ユニット１００は上記粘着部材４０の粘着性によって滑っこい付着面だけでなく凹凸を有するデコボコした面の付着面Ａにも付着が容易で、付着面に付着された状態で使用者は図７のように吸着調節蓋１０を回転させる。
【０１０９】
上記吸着調節蓋１０の回転により、上記吸着調節蓋１０の吸着調節片１２０は高さ調節体２０の傾斜ガイド部２１０の高さと段差を有する上部傾斜面２１１に沿って移動されて、段差溝部２１２とストッパ２１３に係止されて位置固定されて上記高さ調節体２０を吸着板３０側に押すようになる。
【０１１０】
そして、上記吸着調節蓋１０の固定片１４は弾性係止片２３の屈曲面２３３に沿って移動して回転が完了されると、折曲部２３１に位置される。
【０１１１】
この時、上記高さ調節体２０の側板２２の下部は、図９のように、上記吸着板３０の段差部３２０を押し、吸着調節蓋１０の回転突部１２と係止突部３３が係止されて固定された吸着板３０の中心部は上記回転突部１２によって上部に上げられる。
【０１１２】
このような動作によって、上記吸着板３０の底面及び粘着部材４０の底面は付着面Ａとの間に真空状態の真空吸着領域Ｂを形成するようになり、本発明による真空吸着ユニット１００は付着面Ａに対して真空吸着方式と粘着方式を一緒に利用して付着されることを保持する。
【０１１３】
このように、本発明による真空吸着ユニット１００が付着面Ａに付着された状態で、使用者は挿入孔１１に一側が挿入されて位置されたフック部材（図示しない）を通じてタオルや手拭きタオル、トイレットペーパーなどの多様な品物を吊り下げたりかけておくことができる。
【０１１４】
次に、使用者が本発明による真空吸着ユニット１００の位置を移動したり除去してほしい場合、使用者は吸着調節蓋１０を使用時と反対方向に回転させて、上記固定片１４が再び弾性係止片２３の屈曲面２３３に沿って移動して弾性によって原位置され、吸着調節片１２０は傾斜ガイド部２１０の上部傾斜面に沿って原位置に移動される。
【０１１５】
それにより、吸着調節蓋１０の回転突部１２が吸着板３０の係止突部３３を引き寄せる力がなくなれば真空吸着領域Ｂは消える。
【０１１６】
そして、使用者は粘着部材４０の突出された部分を引っ張ったり力を加えて付着面Ａから真空吸着ユニット１００を取り外すことができる。
【０１１７】
上述したように、本発明による堅固性と付着力が向上された真空吸着ユニット１００は、ガイド溝部１１０と傾斜ガイド部２１０、側板２２の上部と挿入溝部１３０、外側溝部２４０と第１突出面部３４０、定着段差部２５０と第２突出面部３５０、結合突部２３０と結合溝部３１０の対応する形状による挿入及びガイドされる構造によって離脱されたり遊動されることなく堅固でかつ容易に結合及び組み立てられる。
【０１１８】
それにより、各構成の間の作動が円滑に行われるだけでなく、真空吸着方式と一緒に粘着方式で滑っこい付着面や凹凸を有する付着面などにも真空吸着ユニット１００をより容易で、かつ堅固に付着可能な效果を奏するなど実生活に非常に有用な発明である。
【０１１９】
以上で説明した本発明は発明が属する技術分野において通常の知識を有する当業者にとって本発明の技術的思想を逸脱しない範囲内でさまざまに置き換え変形及び変更が可能であるので、前述した実施例及び添付された図面に限定されるのではない。
【符号の説明】
【０１２０】
１００：堅固性と付着力が向上された真空吸着ユニット、  １０：吸着調節蓋、  １０ａ：上板、  １０ｂ：側壁、  １１：挿入孔、  １２：回転突部、  １４：固定片、  １５：補強リブ、  １１０：ガイド溝部、  １２０：吸着調節片、  １３０：挿入溝部、  ２０：高さ調節体、  ２１：内板、  ２２：側板、  ２３：弾性係止片、  ２１０：傾斜ガイド部、  ２２０：支持部、  ２３０：結合突部、  ２４０：外側溝部、  ２５０：定着段差部、  ３０：吸着板、  ３１：中心軸、  ３２：結合孔、  ３３：係止突部、  ３１０：結合溝部、  ３２０：段差部、  ３３０：内側突部、  ３４０：第１突出面部、  ３５０：第２突出面部、  ３０１：嵌込突部、  ４０：粘着部材、  ４０１：通孔、  Ａ：付着面、  Ｂ：真空吸着領域
【図１】
2017190840.tif 000003
【図２】
2017190840.tif 000004
【図３】
2017190840.tif 000005
【図４】
2017190840.tif 000006
【図５】
2017190840.tif 000007
【図６】
2017190840.tif 000008
【図７】
2017190840.tif 000009
【図８】
2017190840.tif 000010
【図９】
2017190840.tif 000011